(57)【要約】褥瘡を治療するまたは褥瘡の発生を軽減するために患者の下に配置されるシートは、第１シート層と、第１シート層に固定された膨張可能な構成要素と、を含む。膨張可能な構成要素は、膨張可能な構成要素の外側にある領域を少なくとも部分的に囲み、膨張可能な構成要素が少なくとも部分的に囲む領域が患者の身体部分の下に配置されて膨張可能な構成要素が膨張させられると、患者の身体部分から圧力を除去する。【選択図】図１Ａ
2013518620.tif 000002
【特許請求の範囲】
【請求項１】
褥瘡を治療するまたは褥瘡の発生を軽減するために患者の下に配置されるシートであって、前記シートは、
第１シート層と、
前記第１シート層に固定された膨張可能な構成要素であって、前記膨張可能な構成要素の外側にある領域を少なくとも部分的に囲み、前記少なくとも部分的に囲まれた領域が患者の身体部分の下に配置されて前記膨張可能な構成要素が膨張させられると、患者の身体部分から圧力を除去する、膨張可能な構成要素と、を備えるシート。
【請求項２】
前記少なくとも部分的に囲まれた領域が患者の仙骨部の下に配置されて前記膨張可能な構成要素が膨張させられると、前記膨張可能な構成要素が患者の仙骨部から圧力を除去する、請求項１に記載のシート。
【請求項３】
前記第１シート層が幅および長さを有し、
前記第１シート層の幅が少なくとも８０ｃｍであり、
前記第１シート層の長さが少なくとも５０ｃｍである、請求項１に記載のシート。
【請求項４】
前記第１シート層の幅が少なくとも９０ｃｍであり、
前記第１シート層の長さが少なくとも６０ｃｍである、請求項３に記載のシート。
【請求項５】
前記第１シート層の長さが少なくとも９０ｃｍである、請求項４に記載のシート。
【請求項６】
前記膨張可能な構成要素が前記第１シート層に取り付けられている、請求項１に記載のシート。
【請求項７】
前記膨張可能な構成要素を前記第１シート層に固定するように前記第１シート層に取り付けられたポケット、をさらに備え、前記膨張可能な構成要素が前記ポケット内に位置する、請求項１に記載のシート。
【請求項８】
前記膨張可能な構成要素を前記第１シート層に固定するように前記第１シート層に取り付けられたポケット、をさらに備え、前記膨張可能な構成要素が前記ポケットに挟まれている、請求項１に記載のシート。
【請求項９】
前記第１シート層に取り付けられた第２シート層をさらに備え、前記膨張可能な構成要素が前記第１シート層と前記第２シート層との間に位置する、請求項１に記載のシート。
【請求項１０】
前記第２シート層は、前記膨張可能な構成要素を固定するポケットを形成するように前記第１シート層に取り付けられ、前記膨張可能な構成要素が前記ポケット内に位置する、請求項９に記載のシート。
【請求項１１】
前記膨張可能な構成要素を膨張および収縮させるため、前記膨張可能な構成要素を管に連結する取付部品、をさらに備え、前記管が前記シートの外側にある、請求項１に記載のシート。
【請求項１２】
前記膨張可能な構成要素を膨張および収縮させるため、前記膨張可能な構成要素に連結される管、をさらに備える、請求項１に記載のシート。
【請求項１３】
前記第１シート層に固定されて、患者に当てて配置される吸収性パッドをさらに備える、請求項１に記載のシート。
【請求項１４】
前記第１シート層が吸収性パッドを備える、請求項１に記載のシート。
【請求項１５】
前記膨張可能な構成要素が単一の膨張可能なセルから本質的になる、請求項１に記載のシート。
【請求項１６】
患者を支持する外部構造に前記シートを固定する取付部品をさらに備える、請求項１に記載のシート。
【請求項１７】
前記膨張可能な構成要素が「Ｈ」字形を有する、請求項１に記載のシート。
【請求項１８】
前記膨張可能な構成要素が、
横方向セグメントと、
前記横方向セグメントのそれぞれ反対側に位置し、前記横方向セグメントにより接続された第１縦方向セグメントおよび第２縦方向セグメントであって、それぞれが前記横方向セグメントの上に縦方向に延びる第１部分と前記横方向セグメントの下に縦方向に延びる第２部分とを含む、第１縦方向セグメントおよび第２縦方向セグメントと、を備え、
前記少なくとも部分的に囲まれた領域が、前記第１縦方向セグメントの第２部分と前記第２縦方向セグメントの第２部分との間に位置し、前記横方向セグメントならびに前記第１縦方向セグメントの第２部分および前記第２縦方向セグメントの第２部分により部分的に囲まれている、請求項１に記載のシート。
【請求項１９】
前記横方向セグメントが高さを有し、
前記第１縦方向セグメントの第２部分および前記第２縦方向セグメントの第２部分がそれぞれ幅を有し、
前記横方向セグメントの高さが、前記第１縦方向セグメントの第２部分および前記第２縦方向セグメントの第２部分の幅より小さい、請求項１８に記載のシート。
【請求項２０】
前記第１縦方向セグメントの第２部分および前記第２縦方向セグメントの第２部分の幅が少なくとも４インチ（１０．１６センチメートル）であり、
前記横方向セグメントの高さが３インチ（７．６２センチメートル）以下である、請求項１９に記載のシート。
【請求項２１】
患者に対する前記シートの配置を示す１以上のマーキングをさらに備える、請求項１に記載のシート。
【請求項２２】
前記１以上のマーキングが、
前記シートを横切って横方向に延びる第１線であって、前記第１線が患者の上前腸骨棘部に位置合わせされるようになっており、前記第１線は、前記第１線を患者の上前腸骨棘部に位置合わせすると前記少なくとも部分的に囲まれた領域が患者の仙骨部に位置合わせされることを可能にする、前記少なくとも部分的に囲まれた領域に対する前記シート上の位置を有する、第１線を備える、請求項２１に記載のシート。
【請求項２３】
前記１以上のマーキングが、
前記少なくとも部分的に囲まれた領域を通って前記シートを横切って横方向に延びる第２線であって、前記第２線が前記仙骨と前記上前腸骨棘とのおおよその間隔に対応する距離だけ前記第１線から分離している、第２線を備える、請求項２２に記載のシート。
【請求項２４】
前記第１線から前記第２線を分離する距離が、２〜４インチ（５．０８〜１０．１６センチメートル）である、請求項２３に記載のシート。
【請求項２５】
前記第１線から前記第２線を分離する距離が、２．８〜３．２インチ（７．１１２〜８．１２８センチメートル）である、請求項２３に記載のシート。
【請求項２６】
前記１以上のマーキングが、前記少なくとも部分的に囲まれた領域を通って前記シートを横切って縦方向に延びる第３線を備える、請求項２１に記載のシート。
【請求項２７】
前記１以上のマーキングが、
前記少なくとも部分的に囲まれた領域を通って前記シートを横切って横方向に延びる線、を備える、請求項２１に記載のシート。
【請求項２８】
前記１以上のマーキングが、
前記患者の仙骨部の下に配置される前記シート上の部位を示すマーキング、を備え、前記部位が前記少なくとも部分的に囲まれた領域内に位置する、請求項２１に記載のシート。
【請求項２９】
前記１以上のマーキングが、
患者に対する前記シートの向きを示す配向マーキング、を備える、請求項２１に記載のシート。
【請求項３０】
褥瘡を治療するまたは褥瘡の発生を軽減するために患者の身体部分の除圧を行うシステムであって、
患者の下に配置されるシートであって、
第１シート層と、
前記第１シート層に固定された膨張可能な構成要素であって、前記膨張可能な構成要素の外側にある領域を少なくとも部分的に囲み、前記少なくとも部分的に囲まれた領域が前記患者の身体部分の下に配置されて前記膨張可能な構成要素が膨張させられると、患者の身体部分から圧力を除去する膨張可能な構成要素と、を備えるシートと、
前記膨張可能な構成要素に連結される管と、
前記膨張可能な構成要素を膨張および収縮させるため、前記管に連結されるポンプと、を備える、システム。
【請求項３１】
褥瘡を治療するまたは褥瘡の発生を軽減するために患者の身体部分の除圧を行う方法であって、
患者の下にシートを配置する工程であって、前記シートが第１シート層と膨張可能な構成要素とを含み、前記膨張可能な構成要素が、前記第１シート層に固定され、前記膨張可能な構成要素の外側にある領域を少なくとも部分的に囲み、前記シートを配置する工程が、前記少なくとも部分的に囲まれた領域を前記患者の身体部分の下に配置する工程を含む工程と、
前記膨張可能な構成要素をポンプに連結する工程と、
前記膨張可能な構成要素を繰り返し膨張および収縮させる工程と、を含む、方法。
【発明の詳細な説明】
【技術分野】
【０００１】
開示される実施形態は、一般に褥瘡の治療および予防に関し、より詳細には、褥瘡を治療および予防するための膨張可能な構成要素が一体化されたシートに関する。
【背景技術】
【０００２】
褥瘡は、床ずれ、圧迫潰瘍、または褥瘡性潰瘍とも称され、医療上の大きな問題となっている。これらの褥瘡は、一般に、急性病治療、長期治療、および在宅治療の人々に生じる。可動性の極めて低い患者（例えば、ＩＣＵ、脊髄損傷、高齢者、および末期的症状の患者）は、褥瘡を発症するリスクが非常に高い。
【０００３】
褥瘡発症の主因は、身体の骨突出部位上の組織への血流の減少である。仰臥位の患者では、褥瘡は仙骨部、踵部、および後頭部に発症する可能性がある。坐位の患者では、褥瘡は坐骨結節部に発症する可能性がある。側臥位の患者では、褥瘡は大転子部、臀部、足首部、および膝部に発症する可能性がある。どの体位でも、褥瘡は、組織への正常な血流を妨げる圧力が長期間かかる部位に発症する可能性がある。
【０００４】
間欠的な除圧が褥瘡の発生を予防することができる。例えば、自力で体位変換することができない患者は、圧点（pressure points）を移動させるため、場合によっては、２時間毎に看護スタッフに体位変換してもらう必要がある。手で患者の体位変換を行うことは、有効ではあるが、多大な労力を要し、医療スタッフの背部の損傷を引き起こす場合がある。多くの施設では、適時に体位変換を行うのに十分なスタッフがいない。専用のマットレスやクッションで幾らか除圧することができるが、有効性、費用および作業の流れに関して限界がある。間欠的除圧の達成方法が複雑な場合、通常の看護の作業の流れでは実行不可能なことがある。また、間欠的な除圧を達成する装置は、看護中の患者へのアクセスを妨げてはならない。
【発明の概要】
【課題を解決するための手段】
【０００５】
幾つかの実施形態では、褥瘡を治療するまたは褥瘡の発生を軽減するために患者の下に配置されるシートが、第１シート層と、第１シート層に固定された膨張可能な構成要素と、を含む。膨張可能な構成要素は、膨張可能な構成要素の外側にある領域を少なくとも部分的に囲み、膨張可能な構成要素が少なくとも部分的に囲む領域が患者の身体部分の下に配置されて膨張可能な構成要素が膨張させられると、患者の身体部分から圧力を除去する。
【０００６】
幾つかの実施形態では、褥瘡を治療するまたは褥瘡の発生を軽減するために患者の身体部分の除圧を行うシステムが、患者の下に配置されるシートを含む。シートは、第１シート層と、第１シート層に固定された膨張可能な構成要素と、を含む。膨張可能な構成要素は、膨張可能な構成要素の外側にある領域を少なくとも部分的に囲む。膨張可能な構成要素が少なくとも部分的に囲む領域が患者の身体部分の下に配置されて膨張可能な構成要素が膨張させられると、膨張可能な構成要素は患者の身体部分から圧力を除去する。システムは、また、膨張可能な構成要素に連結される管も含む。システムは、さらに、膨張可能な構成要素を膨張および収縮させるために、管に連結されるポンプを含む。
【０００７】
幾つかの実施形態では、褥瘡を治療するまたは褥瘡の発生を軽減するために患者の身体部分の除圧を行う方法を実施する。本方法では、患者の下にシートを配置する。シートは、第１シート層と、膨張可能な構成要素と、を含む。膨張可能な構成要素は、第１シート層に固定され、膨張可能な構成要素の外側にある領域を少なくとも部分的に囲む。シートを患者の身体の下に配置する工程は、少なくとも部分的に囲まれた領域が患者の身体部分の下に配置される工程を含む。膨張可能な構成要素は、ポンプに連結され、繰り返し膨張および収縮させられる。
【図面の簡単な説明】
【０００８】
【図１Ａ】幾つかの実施形態に係る、膨張可能な構成要素が一体化されたシートの斜視図である。
【図１Ｂ】幾つかの実施形態に係る、膨張可能な構成要素が一体化されたシートの斜視図である。
【図２】幾つかの実施形態に係る、膨張可能な構成要素が一体化されており、且つ患者に対してシートを配置する方法を示すマーキングを有するシートの平面図である。
【図３Ａ】幾つかの実施形態に係る、シート材層間に位置する膨張可能な構成要素を有するシートの側面図である。
【図３Ｂ】幾つかの実施形態に係る、シート材層間に位置する膨張可能な構成要素を有するシートの側面図である。
【図３Ｃ】幾つかの実施形態に係る、シート材層間に位置する膨張可能な構成要素を有するシートの側面図である。
【図４】幾つかの実施形態に係る、管を介してシートに連結される供給源構成要素（例えば、空気ポンプまたは水ポンプ）を含むシステムの概略図である。
【図５Ａ】幾つかの実施形態に係る、膨張可能な構成要素の実施例の平面図である。
【図５Ｂ】幾つかの実施形態に係る、膨張可能な構成要素の実施例の平面図である。
【図５Ｃ】幾つかの実施形態に係る、膨張可能な構成要素の実施例の平面図である。
【図６Ａ】幾つかの実施形態に係る、供給源構成要素がシートの膨張可能な構成要素および連続圧迫装置（sequential compression device）の両方を膨張させるシステムを示すブロック図である。
【図６Ｂ】幾つかの実施形態に係る、供給源構成要素がシートの膨張可能な構成要素および連続圧迫装置の両方を膨張させるシステムを示すブロック図である。
【図７Ａ】幾つかの実施形態に係る、管が膨張可能な構成要素を供給源構成要素および吸引構成要素の両方に連結するシステムを示すブロック図である。
【図７Ｂ】幾つかの実施形態に係る、管が膨張可能な構成要素を供給源構成要素および吸引構成要素の両方に連結するシステムを示すブロック図である。
【図８】幾つかの実施形態に係る、褥瘡を治療するまたは褥瘡の発生を軽減するために患者の身体部分の除圧を行う方法を示すフローチャートである。
【発明を実施するための形態】
【０００９】
図面全体を通して、同様の参照番号は対応する部分を指す。
【００１０】
ここで様々な実施形態を詳細に参照するが、その実施例を添付の図面に示す。以下の詳細な説明では、本発明を十分に理解できるように多くの詳細を記載する。しかし、当業者には、本発明はこれらの詳細がなくても実施できることが明らかであろう。他の例では、実施形態の態様を不要に不明瞭にしないように、周知の方法、手順、構成要素、および回路は詳細に説明しなかった。
【００１１】
幾つかの実施形態では、膨張可能な構成要素により、褥瘡発症リスクが高い身体の特定の部分にかかる圧力を間欠的に除去することを可能にする。従って、膨張可能な構成要素は、褥瘡の発症を予防、低減、またはそうでなければ軽減することに役立ち、褥瘡の治癒を改善することができるように圧力を除去することにより、既存の褥瘡を治療する。膨張可能な構成要素の配置を容易にするため、膨張可能な構成要素は、患者の下に配置されるシート（引き抜きシート（draw sheet）と称されることがある）に一体化される。膨張可能な構成要素をシートに一体化すると、膨張可能な構成要素と標準的な看護行為との両立性が向上し、従って、看護作業の流れ、ならびに膨張可能な構成要素の煩わしさ（intrusiveness）を最小限に抑えることに関して都合がよい。シートは、患者とベッドまたは患者を支持する他の構造（例えば、イス）との間に配置される。膨張可能な構成要素は、間欠的な膨張および収縮を提供する供給源構成要素（例えば、空気ポンプまたは水ポンプ）に、管を介して取り付けられる。供給源構成要素によりもたらされる間欠的膨張および収縮により、膨張可能な構成要素が、高リスク身体部分に直接圧力を加えることなく、下にある表面から高リスク身体部分を繰り返し持ち上げることが可能になる。従って、膨張可能な構成要素は、高リスク身体部分への圧力を間欠的に除去し、灌流を可能にし、それにより褥瘡発症リスクを低減する、または既存の褥瘡の治癒を可能にする。
【００１２】
膨張可能な構成要素が、収容するように設計されることが可能な、および従って圧力を低下させるように構成される高リスク身体部分の例としては、仙骨部、踵部、坐骨結節部、腸骨棘部、大転子部、肩甲骨部、および後頭部が挙げられるが、これらに限定されない。膨張可能な構成要素は、患者の体位に応じた高リスクの身体部分に使用されてもよい。例えば、腹臥位の場合、高リスク身体部分としては、胸骨部、胸郭部、膝部、足指部、または肩部が挙げられるが、これらに限定されない。別の例として、側臥位の場合、高リスク身体部分としては、足首部、膝部、大転子部、肩部、および耳介部が挙げられるが、これらに限定されない。
【００１３】
幾つかの実施形態では、膨張可能な構成要素は、全て同期して膨張および収縮する１以上の膨張可能なセルを１組有し、従って、２組以上の膨張可能な構成要素が交互にまたは他の非同期的方法で膨張および収縮する複雑さを避ける簡単な設計を提供する。あるいは、膨張可能な構成要素は、個々に膨張および収縮し得る２組以上の膨張可能な構成要素を有する。例えば、幾つかの実施形態では、膨張可能な構成要素は、独立して膨張可能な第１セルおよび第２セルを含む。第１セルが膨張すると同時に第２セルが収縮し、患者を傾ける。幾つかの実施形態では、膨張可能な構成要素は、独立して膨張可能な複数のセルを含み、膨張するセルの数を変化させて、様々な程度の除圧または患者の体位の制御を行う。例えば、比較的体重の軽い患者と比較して肥満した患者の場合、その身体部分を持ち上げる力を増加するために、膨張させるセルを増加させる（例えば、圧力に応じて）ことができる。換言すれば、肥満患者とは反対に体重の軽い患者の場合、その身体部分を持ち上げるために使用されるセルは比較的少ない。
【００１４】
図１Ａは、幾つかの実施形態に係る、膨張可能な構成要素１０４が一体化されたシート１００の斜視図である。シート１００は第１シート層１０２を含む。膨張可能な構成要素１０４は第１シート層１０２に固定される。例えば、膨張可能な構成要素１０４は、接着剤により第１シート層１０２に取り付けられるか、第１シート層１０２に縫い付けられるか、または、面ファスナ材料もしくは他の適切な材料を使用して第１シート層１０２に着脱可能に取り付けられる。幾つかの実施形態では、膨張可能な構成要素１０４は、収縮時に第１層１０２に対して面一になるように第１シート層１０２に固定されている。膨張可能な構成要素１０４は、膨張可能な構成要素１０４の外側にある領域１１２を少なくとも部分的に囲む。換言すれば、領域１１２は、膨張可能な構成要素１０４により少なくとも包囲される開口部である。開口部（即ち、領域１１２）は、膨張可能な構成要素１０４の部分間の開口部であり、第１シート層１０２（幾つかの実施形態では、領域１１２を連続的に被覆する）または他の任意のシート層中の開口部を意味するものではない。領域１１２（即ち、少なくとも部分的に囲まれた領域１１２）が褥瘡発生リスクのある患者の身体部分の下に配置されるようにシート１００を患者の下に配置して、膨張可能な構成要素１０４を膨張させると、患者の身体のリスクのある部分から圧力が除去される。
【００１５】
膨張可能な構成要素１０４を第１シート層１０２に固定すると、第１層１０２に対する膨張可能な構成要素１０４の位置が定まり、これにより膨張可能な構成要素１０４が予め効果的に位置合わせされる、即ち、シート１００を患者の下に適切に配置すると、領域１１２が褥瘡のリスクがある身体部分の下に自動的に配置される。
【００１６】
図１Ｂは、幾つかの実施形態に係る、膨張可能な構成要素１０４が一体化されたシート１２０の斜視図である。第１シート層１０２および膨張可能な構成要素１０４の他に、シート１２０は第２シート層１２２を含む。膨張可能な構成要素１０４は第１層１０２と第２層１２２との間に位置し、層１０２および１２２の少なくとも一方に固定される（例えば、取り付けられる）。視覚的に明瞭にするために、第１層１０２および第２層１２２は、図１Ｂでは分離しているものとして示されているが、実際は、第１層１０２および第２層１２２は結合され、単一のシート１２０を形成している。例えば、第１層１０２および第２層１２２はシート１２０の縁部で取り付けられている。
【００１７】
幾つかの実施形態では、第１シート層１０２および／または第２シート層１２２は、繊維材料（例えば、木綿）、ゴム、木綿とゴムとのブレンド、ビニール、ポリエステル、レーヨン／ポリエステルブレンド、木綿／ポリエステルブレンド、フリース、またはウールから製造される。幾つかの実施形態では、第１シート層１０２および／または第２シート層１２２は失禁用シートである。失禁用シートは、例えば、ポリエステルフィルム支持体、吸収性材料（例えば、フラッフパルプ）の層、および吸収性材料層上の薄い薄葉紙層を含み；薄い薄葉紙層が患者に当てて配置されるようにする。幾つかの実施形態では、膨張可能な構成要素１０４は、変形することなく膨張する非弾性で追従性のない材料から製造され、従って、膨張可能な構成要素１０４が膨張時にその形状の輪郭（例えば、平面図における）を維持することが可能となる。例えば、膨張可能な構成要素１０４は、ビニール、シリコーン、またはプラスチック（例えば、ポリウレタン）から製造される。幾つかの実施形態では、膨張可能な構成要素１０４は、シートを患者の下に配置した場合、収縮時にシートに対して滑らかに平坦化されるように構成され、このようにして折り目または皺の形成が回避されるが、折り目または皺があると患者の皮膚に押し当てられて、不快感を引き起こし、褥瘡発症の一因となるおそれがある。
【００１８】
図１Ａおよび図１Ｂの実施例では、膨張可能な構成要素１０４は、第１縦方向セグメント１０８を第２縦方向セグメント１１０に接続する横方向セグメント１０６により形成される「Ｈ」字形を有する。横方向セグメント１０６、第１縦方向セグメント１０８、および第２縦方向セグメント１１０は、例えば、患者の仙骨部を収容する形状になっている領域１１２を部分的に囲み、これにより膨張可能な構成要素１０４を膨張させると仙骨部から圧力が軽減される。図５Ａにさらに示すように、第１の縦方向セグメント１０８は、横方向セグメント１０６の上に縦方向に延びる第１部分５０２と、横方向セグメント１０６の下に縦方向に延びる第２部分５０６と、を含む。同様に、第２縦方向セグメント１１０は、横方向セグメント１０６の上に縦方向に延びる第１部分５０４と、横方向セグメント１０６の下に縦方向に延びる第２部分５０８と、を含む。従って、横方向セグメント１０６ならびに第２部分５０６および５０８は領域１１２を部分的に囲む。幾つかの実施形態では、患者の快適さのため、膨張可能な構成要素１０４は丸角部を有する。
【００１９】
膨張可能な構成要素１０４の寸法は、膨張可能な構成要素１０４を膨張させると、背部の曲がりが低減し、最小限に抑えられ、または防止され、このようにして脊柱前彎症の痛みが低減し、最小限に抑えられ、または防止されるように選択されてもよい。例えば、脊柱前彎症の痛みは、横方向構成要素１０６の高さ５１６（図５Ａに、対抗する矢印で示す）が第１および第２縦方向セグメント１０８および１１０の幅５１０および５１２より小さくなるように設計することにより低減される。幾つかの実施形態では、高さ５１６は幅５１０および５１２より少なくとも１インチ（２．５４センチメートル）小さい。例えば、高さ５１６は３インチ（７．６２センチメートル）以下であり（例えば、１〜３インチ（２．５４〜７．６２センチメートル）であり）、幅５１０および５１２は４インチ（１０．１６センチメートル）以上である（例えば、４〜６インチ（１０．１６〜１５．２４センチメートル）または４〜１０インチ（１０．１６〜２５．４センチメートル）である）。一実施例では、高さ５１６は１インチ（２．５４センチメートル）であり、幅５１０および５１２は６インチ（１５．２４センチメートル）である。別の実施例では、高さ５１６は１．２５インチ（３．１７５センチメートル）であり、幅５１０および５１２は５．５インチ（１３．９７センチメートル）である。
【００２０】
領域１１２の幅ならびに第２部分５０６および５０８間の間隔でもある、横方向セグメント５１６の幅５１４は、仙骨部を収容するのに十分な広さであるが、膨張時に仙骨部が持ち上がらないほど広くないように選択される。幾つかの実施形態では、幅５１４は、１インチ（２．５４センチメートル）以上、６インチ（１５．２４センチメートル）以下である。幾つかの実施形態では、幅５１４は２インチ（５．０８センチメートル）以上、４インチ（１０．１６センチメートル）以下である。例えば、幅５１４は２インチ（５．０８センチメートル）または２．５インチ（６．３５センチメートル）である。
【００２１】
幾つかの実施形態では、膨張可能な構成要素１０４は、第１縦方向セグメント１０８からシート１００（図１Ａ）または１２０（図１Ｂ）の側縁に延びるセグメント１１４も含む。セグメント１１４は、膨張可能な構成要素１０４を膨張および収縮することに使用されるポンプに膨張可能な構成要素１０４を連結する管に取り付け可能な取付部品１１６に接続する。あるいは、セグメント１１４は存在せず、取付部品１１６が、部分１０８から、シート１００（図１Ａ）または１２０（図１Ｂ）の縁部に延び、縁部で膨張可能な構成要素１０４をポンプに連結する管に取付部品１１６を取り付けることができる。さらに別の代替形態では、セグメント１１４は存在せず、管が、部分１０８から、シート１００（図１Ａ）または１２０（図１Ｂ）の縁部に、そしてさらにポンプに延びる。
【００２２】
図２は、幾つかの実施形態に係る、患者に対してシート２００を配置する方法を示すマーキング２０２、２０４、２０６、２０８および２１０を有するシート２００の平面図である。シート２００は５つのマーキング２０２、２０４、２０６、２０８および２１０を全て有するものとして示されているが、幾つかの実施形態では、シートは、５つのマーキング２０２、２０４、２０６、２０８および２１０のいずれか１つ以上を任意の組み合わせで含み、各マーキングはシートの片側に表示されてもまたは両側に表示されてもよい。
【００２３】
マーカー２０８（例えば、「Ｘ」、あるいは星、円、矢印、線、もしくは他の適切な記号）は、床ずれのリスクがある患者の身体部分の下に（例えば、患者の仙骨部の下に）配置される領域１１２（即ち、膨張可能な構成要素１０４により少なくとも部分的に囲まれた領域または開口部）内の部位を示す。
【００２４】
マーキング２０２は、患者の上前腸骨棘部（ＡＳＩＳ）に位置合わせされるようにシート２００を横切って横方向に延びる線であり、上前腸骨棘は骨盤の腸骨稜の前端であり、外側から触ることができる。看護師は、患者のＡＳＩＳを触り、患者のＡＳＩＳを線２０２の真上に配置することにより線２０２を患者のＡＳＩＳに位置合わせすることができる。線２０２は、線２０２を患者のＡＳＩＳに位置合わせすると領域１１２が患者の仙骨部に位置合わせされることを可能にする、領域１１２に対するシート２００上の位置を有する。特に、線２０２は、患者の仙骨部の下に配置される領域１１２内の点（例えば、マーキング２０８により示される部位に対応する点）より縦方向の距離２１２だけ上に位置する。距離２１２は、ＡＳＩＳと仙骨部とのおおよその縦方向の距離に対応する。例えば、距離２１２は、ＡＳＩＳと仙骨部との平均距離、またはＡＳＩＳと仙骨部との距離の統計母集団内の別の距離であり、そのため患者のＡＳＩＳを線２０２に位置合わせすると、患者の仙骨部が縦方向で開口部１１２に位置合わせされるようになる。幾つかの実施形態では、距離２１２は、３インチ（７．６２センチメートル）、または２．８〜３．２インチ（７．１１２〜８．１２８センチメートル）、または２〜４インチ（５．０８〜１０．１６センチメートル）である。
【００２５】
幾つかの実施形態では、シート２００は、領域１１２を通ってシート２００を横切って横方向に延びる線２０４を含む。例えば、線２０４は、マーキング２０８により示される部位と交差する。幾つかの実施形態では、シート２００は、線２０２および２０４の両方を含み、線２０２および２０４は、ＡＳＩＳと仙骨部とのおおよその縦方向の距離に対応する縦方向の距離２１２だけ分離している。
【００２６】
幾つかの実施形態では、シート２００は、領域１１２を通りシート２００を横切って縦方向に延びる線２０６を含む。例えば、線２０６は、マーキング２０８により示される部位に交差する。線２０６を患者の背部中央の下および患者の脚の間に配置することにより、確実に領域１１２が横方向で患者の仙骨部に位置合わせされる。換言すれば、シート２００上で患者の体位を整えるとき、領域１１２を通過する線２０６の部分が患者の仙骨部の下にくるように、線２０６を患者の仙骨部に位置合わせすることができる。
【００２７】
線２０２、２０４、および２０６は、シート２００の幅もしくは長さ全体を横切って延びる、あるいはシート２００の幅もしくは長さの一部だけを横切って延びる。どちらの場合も、線２０２、２０４、および２０６はシートを横切って延びる。
【００２８】
幾つかの実施形態では、シート２００は、患者に対するシートの適切な向きを示す配向マーカー２１０を含む。例えば、マーカー２１０は、患者の頭部の方向に配置されるシート２００の側、あるいは患者の足または右側もしくは左側の方向に配置される側を示す。マーカー２１０の例としては、矢印（例えば、患者の頭部の方向に配置される側を示す）、シート２００の適切な向きを示す人の絵（例えば、棒線画）、またはシート２００の適切な向きを示すテキスト（例えば、「こちら側が上」）が挙げられる。
【００２９】
幾つかの実施形態では、マーキング２０２、２０４、２０６、２０８および２１０の１以上は、取り外し可能で調節することができる：それらは、シート２００から取り外してシート２００の異なる位置に再度取り付けられることが可能であり、マーキングを特定の患者用にカスタマイズされることが可能となっている。例えば、マーキング２０２、２０４、２０６、２０８および／または２１０は、面ファスナ材料または他の適した結合を使用してシート２００に取り外し可能に取り付けることができるフェルトマーキング（felt markings）であってもよい。
【００３０】
幾つかの実施形態では、シート２００の幅２１６（即ち、例えば、シート２００をベッド上に適切な向きに配置したとき、ベッドの左右方向に対応する横方向の寸法）は、少なくとも８０ｃｍ、または少なくとも９０ｃｍ、または少なくとも１００ｃｍである。幾つかの実施形態では、シート２００の長さ２１４（即ち、例えば、シート２００をベッド上に適切な向きに配置したとき、ベッドの上下方向に対応する縦方向の寸法）は、少なくとも５０ｃｍ、または少なくとも６０ｃｍ、または少なくとも１００ｃｍである。幾つかの実施形態では、シート２００は、幅２１６少なくとも８０ｃｍ、長さ２１４少なくとも５０ｃｍであるか、または幅２１６少なくとも９０ｃｍ、長さ２１４少なくとも６０ｃｍであるか、または幅２１６少なくとも９０ｃｍ、長さ２１４少なくとも９０ｃｍである。幾つかの実施形態では、幅２１６は９０ｃｍであり、長さ２１４は６６ｃｍである。幾つかの実施形態では、幅２１６は９０ｃｍであり、長さ２１４は１１０ｃｍである。幾つかの実施形態では、幅２１６はツインベッドの幅に対応する。
【００３１】
幾つかの実施形態では、シート２００は、患者を支持する外部構造（例えば、ベッドまたは車椅子）にシート２００を取り付ける１つ以上の取付部品２１８を含む。例えば、シート２００は、外部構造上に適切に配置されたストリップに取り付けられる面ファスナ材料のストリップ２１８を含む。他の実施例では、シート２００は、シート２００を外部構造に取り付ける紐、ストリング、またはストラップを含む。シート２００を外部構造に取り付けることにより、患者の可動性が十分である場合、領域１１２が褥瘡のリスクのある身体部分に配置されるようにシート上で患者が自力で体位を整える（例えば、１つ以上のマーキング２０２、２０４、２０６、２０８および２１０を用いて）ことが可能となる。従って、患者は、看護師の介助がなくてもシート２００上で、自力で体位を整えることができる。
【００３２】
図３Ａは、幾つかの実施形態に係る、図１Ｂのシート１２０の側面図または断面図である。膨張可能な構成要素１０４のセグメント１１４、１０８、１０６、および１１０は、第１シート層１０２と第２シート層１０４との間に位置する。膨張可能な構成要素１０４が部分的に囲む領域１１２は、第１層１０２および第２層１２２により被覆されている。幾つかの実施形態では、第２層１２２は第１層１０２と同じサイズである、または、換言すれば、第１層１０２と同じ寸法を有する。あるいは、第２層１２２の長さおよび／または幅は、第１層１０２の長さおよび／または幅より小さい。幾つかの実施形態では、第２層１２２は第１層１０２に取り付けられてポケットを形成しており、その中に膨張可能な構成要素１０４が位置し；ポケットは膨張可能な構成要素１０４を第１層１０２に固定する。あるいは、図３Ｃに示すように、シート３１０は、ポケットを形成するように第１層１０２に取り付けられた第３シート層３１２を含み、そのポケットの中に膨張可能な構成要素１０４が位置し、ポケットは膨張可能な構成要素１０４を第１層１０２に固定する。シート３１０では、第２層１２２は、第３層３１２により形成されたポケットを被覆する、シート３１０の外層を提供する。幾つかの実施形態では、膨張可能な構成要素１０４は、第２層１２２（図３Ａ）によりまたは第３層３１２（図３Ｃ）により形成されたポケットなどのポケットに挟まれている。
【００３３】
幾つかの実施形態では、第１シート層１０２および／または第２シート層１２２は、吸収性パッド（例えば、失禁用シート）を含む。あるいは、吸収性パッドがシート材層に取り付けられている。図３Ｂは、吸収性パッド３０２が第２シート層１２２に取り付けられている、シート３００の側面図である。あるいは、吸収性パッド３０２はシート１２０（図１Ｂ、図３Ａ）または１００（図１Ａ）の第１シート層１０２に固定されている（例えば、取り付けられている）。幾つかの実施形態では、吸収性パッド３０２は、シート層に一体化されている。幾つかの実施形態では、吸収性パッド３０２は別のシート層により被覆されている。吸収性パッド３０２に使用される吸収性材料の例としては、フラッフパルプ、粉砕された木材パルプ（一般に、エアフェルト（airfelt）と称される）、皺加工された紙綿、吸収性フォーム、吸収性スポンジ、高吸収性ポリマー、吸収性ゲル化材料、または任意の同等の材料または材料の組み合わせが挙げられる。幾つかの実施形態では、吸収性パッド３０２は、セルロース繊維（例えば、レーヨン、リヨセル、木材パルプ、木綿など）、任意の高吸収剤（例えば、ポリアクリレートなど）、またはこれらの種類の繊維の何らかの組み合わせから製造される吸収性材料を含む。幾つかの実施形態では、吸収性パッド３０２は、粉末の形態または顆粒の形態の高吸収材を含む。
【００３４】
幾つかの実施形態では、シートは、一体化された加熱パッド（例えば、電気加熱パッド）を含む。例えば、加熱パッドは、シート層に取り付けられているか、またはシート層に一体化されている。膨張可能な構成要素を膨張させるのに使用されるポンプが水ポンプである幾つかの実施形態では、温水または熱水を使用して膨張可能な構成要素を膨張させ、温熱を提供する。幾つかの実施形態では、シートは、一体化されたマッサージパッドを含み；マッサージパッドは温熱も提供してもよい。
【００３５】
幾つかの実施形態では、膨張可能な構成要素は、膨張時に膨張可能な構成要素から空気を逃がすことができる複数の穴（例えば、ピンホール）を含む。これらの実施形態の幾つかでは、膨張可能な構成要素を被覆するシート層は複数の穴（例えば、ピンホール）も含み、空気はこれを通過することができ、このようにして、皮膚を乾燥させ、過剰な水分が皮膚を浸軟することを防止する役割を果たす気流が患者の皮膚に提供される。幾つかの実施形態では、膨張可能な構成要素および／またはシート中の各穴は、面積が２ｍｍ２未満、または面積が１ｍｍ２未満、または面積が０．５ｍｍ２未満である。
【００３６】
図４は、幾つかの実施形態に係る、管４０６を介してシート４０８に連結される供給源構成要素４０４（例えば、空気ポンプまたは水ポンプ）を含むシステム４０２の概略図である。管４０６は、供給源構成要素４０４を、膨張可能な構成要素１０４の取付部品１１６に接続する。シート４０８は、例えば、シート１００（図１Ａ）、１２０（図１Ｂ、図３Ａ）、２００（図２）、３００（図３Ｂ）、または３１０（図３Ｃ）に対応する。図４に示すように、領域１１２が患者の仙骨部４１０の下に配置されるように、シート４０８を患者４００の下に配置する。ポンプは、管４０６を介して膨張可能な構成要素１０４を繰り返し膨張および収縮させる。線２０４が患者の仙骨部４１０に位置合わせされるように、線２０２を患者のＡＳＩＳに位置合わせする。また、線２０６は患者の背部中央、および患者の脚の間の空間に位置合わせされる。その結果、マーキング２０８および領域１１２が仙骨部４１０の下に配置され、膨張可能な構成要素１０４は膨張時に仙骨部４１０から圧力を除去する。
【００３７】
図１〜４は、Ｈ字形を有する膨張可能な構成要素１０４を有するシートを示すが、シートに含まれる膨張可能な構成要素は、褥瘡のリスクがある患者の身体部分の下に配置される領域を少なくとも部分的に囲む様々な形状およびサイズのいずれかを有してもよく、これにより、膨張可能な構成要素を膨張させると身体部分から圧力が除去されるようになる。他の適した形状の例としては、環およびＵ字形（例えば、三日月形または馬蹄形）が挙げられる。図５Ｂは、幾つかの実施形態に係る、Ｕ字形の膨張可能な構成要素５３０の平面図である。Ｕ字形の膨張可能な構成要素５３０は、第１縦方向セグメント５３４および第２縦方向セグメント５３６を接続する横方向セグメント５３２を含む。第１縦方向セグメント５３４および第２縦方向セグメント５３６は、横方向セグメント５３２のそれぞれ反対側に位置し、横方向セグメント５３２の下に（あるいは、上に）縦方向に延び、このようにしてＵ字形を形成する。セグメント５３２、５３４および５３６は、身体部分の下に配置される領域５４０を部分的に囲み、これにより、膨張可能な構成要素５３０を膨張させると身体部分から圧力が除去されるようになる。幾つかの実施形態では、膨張可能な構成要素５３０は、セグメント１１４（図５Ａ）と類似の、シートの縁部に延びるセグメント５３８を含み、縁部でそれを管に取り付けることができる。
【００３８】
図５Ｃは、幾つかの実施形態に係る、環状の膨張可能な構成要素５６０の平面図である。環状の膨張可能な構成要素５６０は、環セグメント５６２、および、幾つかの実施形態では、セグメント１１４（図５Ａ）および５３８（図５Ｂ）に類似のセグメント５６４を含む。環セグメント５６２は身体部分身体の下に配置される領域５４０を囲み、これにより、膨張可能な構成要素５３０を膨張させると身体部分から圧力が除去される。
【００３９】
Ｈ字形の膨張可能な構成要素１０４（図５Ａ）は、環状の膨張可能な構成要素５６０（図５Ｃ）およびＵ字形の膨張可能な構成要素５３０（図５Ｂ）よりも有利である。環状の膨張可能な構成要素５６０は領域５６６を完全に囲むため、領域５６６と位置合わせされる（例えば、その上に配置される）組織への血流を遮断する。同様に、Ｕ字形の膨張可能な構成要素５３０のセグメント５３４および５３６は、膨張時に丸くなる傾向があり、このため、それらは領域５４０を囲み、またはほとんど囲み、それにより領域５４０と位置合わせされる組織への血流が遮断される。膨張可能な構成要素１０４のＨ字形は、膨張時に、確実にセグメント５０６および５０８が丸くならないようにすることに役立つ。従って、領域１１２は一方側が開放したままとなり、それにより領域１１２と位置合わせされる組織への血流が改善される。従って、Ｈ字形の膨張可能な構成要素１０４を有するシートでは、環状の膨張可能な構成要素５６０またはＵ字形の膨張可能な構成要素５３０を有するシートと比較して、除圧が行われる身体部分の組織灌流が増加する。組織灌流が増加すると、その結果、褥瘡の治癒または予防が改善される。
【００４０】
幾つかの実施形態では、膨張可能な構成要素を膨張および収縮させることに使用されるポンプ（例えば、供給源構成要素４０４、図４）は、病院または看護施設（settings）で使用される様々なタイプのポンプの１つに一体化される。例えば、ポンプは、深部静脈血栓症のリスクを最小限に抑えるのに使用される連続圧迫装置（ＳＣＤ）システム用の供給源構成要素（例えば、空気ポンプ）に一体化されてもよい。換言すれば、供給源構成要素（例えば、空気ポンプまたはその他のもの）は、既存のＳＣＤシステムに接続可能となるにように構成されてもよく、これにより、供給源構成要素が、幾つかの実施形態に係る図６Ａおよび図６Ｂのブロック図に示すように、シート（例えば、１００、図１Ａ；１２０、図１Ｂおよび図３Ａ；２００、図２；３００、図３Ｂ；３１０、図３Ｃ；４０８、図４）の膨張可能な構成要素（例えば、１０４、５３０または５６０、図５Ａ〜５Ｃ）および既存のＳＣＤの両方を膨張させることができるようになっていてもよい。図６Ａのシステム６００におけるように、供給源構成要素６０２は、管６０６を介してＳＣＤ６０４を膨張させ、別の管６０８を介して膨張可能な構成要素を有するシート６１０を膨張させる。幾つかの実施形態では、管６０６は供給源構成要素６０２の第１の接続出口に接続し、管６０８は供給源構成要素６０２の第２の接続出口に接続する。あるいは、図６Ｂのシステム６２０では、供給源構成要素６２２は、供給源構成要素６２２の単一の接続出口に接続し、ＳＣＤ６０４およびシート６１０に分岐する単一の共用管６２４を介してＳＣＤ６０４とシート６１０の膨張可能な構成要素とを膨張させる。従って、シート６１０の膨張可能な構成要素の管接続は、ＳＣＤポンプと両立可能であってもよく、ＳＣＤポンプはシート６１０の膨張可能な構成要素の供給源構成要素の役割を果たしてもよい。
【００４１】
幾つかの実施形態では、ポンプは、陰圧創傷療法システム用のポンプに一体化されるか、または組み合わせられる。幾つかの実施形態では、ポンプは、エアマットレス用のポンプに一体化されるか、または組み合わせられる。
【００４２】
幾つかの実施形態では、ノイズを低減するために、フォーム、ガラス繊維、または他の遮音もしくは吸収性材料から製造されるケーシングを有する。
【００４３】
幾つかの実施形態では、供給源構成要素（例えば、４０４、図４；６０２、図６Ａ；６２２、図６Ｂ）は、シート（例えば、１００、図１Ａ；１２０、図１Ｂおよび図３Ａ；２００、図２；３００、図３Ｂ；３１０、図３Ｃ；４０８、図４）の膨張可能な構成要素（例えば、１０４、５３０、または５６０、図５Ａ〜図５Ｃ）の間欠的膨張および収縮を制御する電子システムを有する。間欠的膨張および収縮は、様々な方法のいずれかで時間調整されることができる。膨張および収縮速度は、速くてもまたは遅くてもよい。速い収縮速度の例としては、５秒以下、または１０秒以下が挙げられ、遅い収縮速度の例としては、少なくとも２分、または少なくとも５分、または１０分以上が挙げられる。幾つかの実施形態では、膨張頻度は５分毎〜４時間毎である。膨張頻度の例としては、５〜１０分、２０分以下、１時間以下、１〜４時間、または２〜４時間が挙げられる。幾つかの実施形態では、膨張持続時間は３０秒〜２時間である。膨張持続時間の例としては、１分以下、２分以下、１０分以下、３０分〜２時間、または１〜２時間が挙げられる。膨張および収縮速度が速いと、高リスク部位への血液再灌流が速くなり、従って、褥瘡の治癒または予防に役立つ。しかし、膨張および収縮速度が低い方が、患者は急な変化を受けず、ポンプ音も低減するため、患者にとってより快適である。幾つかの実施形態では、膨張および収縮速度、膨張頻度、および／または膨張の持続時間は、時刻、患者の状態、患者の体重、ベッドの柔らかさの程度または他の尺度、患者が起きているかまたは寝ているか、患者の体位（例えば、仰臥位、腹臥位、側臥位、または傾斜）、および／または使用者が定める他の１つ以上の条件に応じて変えられる。幾つかの実施形態では、膨張および収縮速度、膨張頻度、および／または膨張の持続時間は、特定の膨張および収縮速度、膨張頻度、または膨張の持続時間に伴う患者の不快感を低減するため常に変化するようにプログラムされる。
【００４４】
幾つかの実施形態では、膨張可能な構成要素は受動的に収縮する。例えば、供給源構成要素４０４（図４）により膨張可能な構成要素１０４は大気に通気し、患者４００の体重により膨張可能な構成要素１０４は収縮する。しかし、他の幾つかの実施形態では、機械的ポンプは、膨張可能な構成要素を能動的に収縮させる。能動的収縮の利点は、膨張可能な構成要素が平坦になるように吸引されるため、膨張可能な構成要素自体から新たな圧点が作り出される可能性が低減するということである。
【００４５】
幾つかの実施形態では、膨張可能な構成要素は、能動的に収縮させる吸引構成要素に接続する１つまたは複数のチューブを有する。図７Ａは、幾つかの実施形態に係る、膨張可能な構成要素を有するシート６１０が第１の管７０６を介して供給源構成要素７０２に連結され、第２の管７０８を介して吸引構成要素７０４に連結されるシステム７００を示す。図７Ｂは、幾つかの実施形態に係る、単一の分岐管７２２がシート６１０の膨張可能な構成要素を供給源構成要素７０２および吸引構成要素７０４に連結する代替のシステム７２０を示す。供給源構成要素７０２および吸引構成要素７０４は、膨張および能動的収縮の両方をもたらす単一の供給源構成要素７１０（図７Ａ）または７２４（図７Ｂ）に組み合わせられてもよい。
【００４６】
幾つかの実施形態では、供給源構成要素（例えば、４０４、図４；６０２／６２２、図６Ａ〜図６Ｂ；７１０／７２４、図７Ａ〜図７Ｂ）は、大部分の患者に最適化された膨張および収縮の統一プロトコル（例えば、膨張のレベル、頻度および／または持続時間）を提供する。幾つかの実施形態では、供給源構成要素は、膨張可能な構成要素に異なる（例えば、可変の）レベルの膨張をもたらすことができる１以上のポンプを有する。幾つかの実施形態では、供給源構成要素の機能を調節する（例えば、膨張のレベル、頻度、および／または持続時間を調節する）ことに使用可能なコントロールパネル、１以上のスイッチ、または１以上のダイアルが存在する。コントロールパネルの例としては、簡単なダイアル、または様々な入力（例えば、患者の体重またはベッドのタイプ）を受け、膨張の量を決定し得る電子表示装置が挙げられるが、これらに限定されるものではない。幾つかの実施形態では、例えば、膨張の程度は、患者の体型（即ち、体格）、体重、または性別、ならびに、マットレスのタイプ（例えば、マットレス製造業者およびモデル）などの患者が寝ているマットレスの特徴、またはイスのタイプ（例えば、製造業者およびモデル）などの患者が座っているイスの特徴に合わせて、手動または電子制御により調節される。幾つかの実施形態では、膨張の量は、異なる制御パネル設定に対応する膨張値を記憶しているルックアップテーブルを使用することにより決定される。膨張の頻度および持続時間も同様に、ルックアップテーブルを使用することにより決定されてもよい。あるいは、コントロールパネル、スイッチ、および／またはダイアルを使用して、膨張のレベル、頻度、および／または持続時間を直接指定してもよい。
【００４７】
幾つかの実施形態では、膨張可能な構成要素には、圧力センサが組み込まれており、圧力センサは供給源構成要素にフィードバックする。幾つかの実施形態では、供給源構成要素は、圧力センサの読みに基づいて膨張圧力を調節し、褥瘡発生を予防するのに十分な圧力緩和を確実に行うことができる。幾つかの実施形態では、圧力センサは供給源構成要素自体に内蔵されており、持ち上げ構成要素を十分に膨張させるのに必要な圧力を調節することができる。幾つかの実施形態では、供給源構成要素は、１以上の追加のセンサ（例えば、温度センサ、モーションセンサ、血中酸素センサ、または脈拍センサ）を含む、またはそれに連結されている。
【００４８】
図８は、幾つかの実施形態に係る、褥瘡を治療するまたは褥瘡の発生を軽減するために、患者の身体部分の除圧を行う方法８００を示すフローチャートである。方法８００では、患者（例えば、患者４００、図４）の下にシート（例えば、１００、図１Ａ；１２０、図１Ｂおよび図３Ａ；２００、図２；３００、図３Ｂ；３１０、図３Ｃ；４０８、図４；６１０、図６Ａ〜図７Ｂ）を配置する（８０２）。シートは、第１シート層（例えば、第１の層１０２、図１Ａ〜図４）と、膨張可能な構成要素（例えば、１０４、図１Ａ〜図１Ｂ、図２、図４、図５Ａ）（例えば、５３０、図５Ｂ；５６０、図５Ｃ）と、を含む。膨張可能な構成要素は第１シート層に固定され、膨張可能な構成要素の外側にある領域（例えば、領域１１２、図１Ａ〜図５Ａ；領域５４０、図５Ｂ；領域５６６、図５Ｃ）を少なくとも部分的に囲む。少なくとも部分的に囲まれた領域が患者の身体部分の下に配置されるように、シートを配置する。
【００４９】
幾つかの実施形態では、例えば、図４に示すように、少なくとも部分的に囲まれた領域が患者の仙骨部の下に配置されるようにシートを配置する（８０４）。
【００５０】
幾つかの実施形態では、患者に対するシートの配置を示す、シート上の１以上のマーキング（例えば、マーキング２０２、２０４、２０６、２０８および／または２１０、図２）に従ってシートを配置する（８０６）。
【００５１】
膨張可能な構成要素を、ポンプ（例えば、供給源構成要素４０４、図４；６０２／６２２、図６Ａ〜図６Ｂ；７１０／７２４、図７Ａ〜図７Ｂ）に連結して（８０８）、繰り返し膨張および収縮させる（８１０）。
【００５２】
方法８００は、特定の順番で行われるように表示されている多くの操作を含むが、方法８００に含まれる操作はそれより多くてもまたは少なくてもよく、２つ以上の操作の順番が変更されてもよく、および／または２つ以上の操作が単一の操作に組み合わせられてもよいことが明らかであろう。
【００５３】
前述の記載は、説明のため、特定の実施形態を参照して記載してきた。しかし、上記の例示的説明は、網羅的であること、または本発明を開示した通りの形態に限定することを意図したものではない。上記教示に鑑みて、多くの変更および変形が可能である。本発明の原理およびそれらの実際の適用を最もよく説明し、それにより当業者が、想到される特定の用途に適するように様々な変更を行って本発明および様々な実施形態を最もよく利用することができるように、実施形態を選択し、記載した。
【図１Ａ】
2013518620.tif 000003
【図１Ｂ】
2013518620.tif 000004
【図２】
2013518620.tif 000005
【図３Ａ】
2013518620.tif 000006
【図３Ｂ】
2013518620.tif 000007
【図３Ｃ】
2013518620.tif 000008
【図４】
2013518620.tif 000009
【図５Ａ】
2013518620.tif 000010
【図５Ｂ】
2013518620.tif 000011
【図５Ｃ】
2013518620.tif 000012
【図６Ａ】
2013518620.tif 000013
【図６Ｂ】
2013518620.tif 000014
【図７Ａ】
2013518620.tif 000015
【図７Ｂ】
2013518620.tif 000016
【図８】
2013518620.tif 000017
【国際調査報告】
2013518620.tif 000018
2013518620.tif 000019